(57)【要約】【課題】検出手段が出力する検出信号を擬似的に生成する不正行為を有利に回避することが出来る、新規な構造の遊技機を提供することを目的とする。【解決手段】当落判定手段が設けられている主制御基板５２上に発光素子５４および受光素子５６を設け、それら発光素子５４および受光素子５６と特定の通過部位４４との間に亘って発光側光ファイバ４６ａおよび受光側光ファイバ４６ｂをそれぞれ配設すると共に、特定の通過部位４４に反射部材６８を配設して、発光側光ファイバ４６ａの発光端面と受光側光ファイバ４６ｂの受光端面を反射部材６８を介して対向配置せしめるようにした。【選択図】      図６
2004351036.tif 000002
【特許請求の範囲】
【請求項１】
遊技盤における遊技球が通過する特定の通過部位を遊技球が通過したことを検出して得られた検出信号が主制御基板に入力されて、該主制御基板に設けられた当落判定手段により該検出信号に基づいて当落が判定される遊技機において、
前記主制御基板上に発光素子および受光素子を設け、それら発光素子および受光素子と前記特定の通過部位との間に亘って発光側光ファイバおよび受光側光ファイバをそれぞれ配設すると共に、該特定の通過部位に反射部材を配設して、該発光側光ファイバの発光端面と該受光側光ファイバの受光端面を該反射部材を介して対向配置せしめることにより、該特定の通過部位において該発光側光ファイバの発光端面から該反射部材を経て該受光側光ファイバの受光端面に至る光路を形成し、該光路を遊技球が遮ることにより前記検出信号が得られるようにしたことを特徴とする遊技機。
【請求項２】
前記特定の通過部位において、前記発光側光ファイバの発光端面と前記受光側光ファイバの受光端面を前記遊技盤の表面から離隔する側に向けて略同一方向に配設すると共に、それら両端面に対して該遊技盤の表面から離隔した位置に前記反射部材を対向位置せしめ、かかる対向部間を前記遊技球が通過せしめられることにより前記光路が該遊技球で遮られるようにした請求項１に記載の遊技機。
【請求項３】
前記発光側光ファイバの発光端面と前記受光側光ファイバの受光端面を、前記遊技球の通過方向に対して略直交する方向に並設することにより、該発光端面から前記反射部材に至る発光側光路と、該反射部材から該受光端面に至る受光側光路が前記特定の通過部位における中心線を挟んだ両側に形成されるようにした請求項１又は２に記載の遊技機。
【請求項４】
前記特定の通過部位をトンネル又はゲート状の通過孔によって構成すると共に、該通過孔の内周面に開口する凹所を設けて、該凹所内に前記反射部材を収容配置せしめた請求項１乃至３の何れかに記載の遊技機。
【発明の詳細な説明】
【０００１】
【技術分野】
本発明は、遊技盤における遊技球が通過する特定の通過部位を遊技球が通過したことを検出して得られた検出信号が主制御基板に入力されて、該主制御基板に設けられた当落判定手段により該検出信号に基づいて当落が判定される遊技機に関するものである。
【０００２】
【背景技術】
遊技機における遊技、特に、パチンコ機における遊技は、パチンコ機本体に回動可能に装着された発射レバーの回動操作によって遊技球を遊技領域に案内せしめ、遊技球を遊技領域に設けられた入賞装置等に入賞せしめることを目的とする態様が一般的である。
【０００３】
特に、図柄表示装置において変動表示される複数の変動図柄が特別図柄組み合わせで停止表示された場合に遊技者に有利な特別遊技状態が開始されるパチンコ機においては、遊技者は、特別遊技状態を発生させるために、遊技球の入賞に基づいて図柄表示装置において複数の変動図柄の変動表示が開始される始動入賞口に遊技球を入賞せしめることを目的として遊技をする。
【０００４】
ところで、このような遊技機において、複数の変動図柄が特別図柄組み合わせで停止表示されるか否かは、始動入賞口に設けられた近接スイッチ等の遊技球を検出する検出手段が出力した検出信号に基づいて当落判定手段が当落を判定することで決定されるようになっている。
【０００５】
そこにおいて、この検出手段から当落判定手段が設けられた主制御基板までの間は、一般に、金属線で構成されたハーネスによって接続されていることから、かかるハーネスに対して擬似的な検出信号を生成する電気回路が取り付けられてしまい、このような電気回路が生成する擬似的な検出信号に基づいて複数の変動図柄が特別図柄組み合わせで停止表示されるという問題があった。また、ハーネスというのは、ノイズをひろいやすいものであるから、ノイズの影響を受けて、遊技球の検出が正確に行われないおそれもあった。
【０００６】
このような問題に対処するために、パチンコ機を電子的に制御する制御装置が配設された制御板と遊技球の通過孔の間を一本の光ファイバで接続し、かかる制御板に配設された発光ダイオードが発した光を光ファイバを通して通過孔内に放射する一方、通過孔内に放射された光を通過孔内に設けられた反射板で反射すると共に、かかる反射光を光ファイバを通して制御板まで案内した後、ハーフミラーを介してフォトトランジスタで受光するようにし、通過孔内に放射された光又は反射板で反射された光を遊技球が遮ったことを検出することで遊技球の通過を検出するパチンコ機が提案されている（特許文献１参照）。
【０００７】
ところで、遊技球の通過孔というのは、通過する遊技球を正確に検出するために、その断面は、遊技球が一個だけ通過可能な程度の大きさとされていることが一般的である。それ故、上述の如きパチンコ機においては、複数個の遊技球が接触した状態で通過孔を通過する場合には、複数の遊技球が通過したにも拘わらず、一個の遊技球が通過したものと検出するおそれがある。
【０００８】
すなわち、上述の如きパチンコ機では、制御板から通過孔内へ光の案内および通過孔内から制御板への反射光の案内が一本の光ファイバで行われることから、通過孔内に放射される光が通過孔の中心線と交わるように設定されている場合が多く、それによって、複数の遊技球が接触した状態で通過孔を通過する場合には、通過孔の中心線上において、複数の遊技球が通過するまで、通過孔内に放射された光又は反射板で反射された光が遮られた状態が継続してしまい、その結果、複数の遊技球が通過したにも拘わらず、一個の遊技球が通過したものと検出するおそれがあるのである。
【０００９】
なお、通過孔内に放射された光を通過孔の中心線と交わらないようにした場合には、遊技球が通過したにも拘わらず、遊技球が通過したことを検出しなくなる可能性がある。
【００１０】
【特許文献１】
特公平８−２９１８８号公報
【００１１】
【解決課題】
ここにおいて、本発明は、上述の如き事情を背景として為されたものであって、その解決課題とするところは、遊技球の検出精度を向上することが出来ると共に、検出手段が出力する検出信号を擬似的に生成する不正行為を有利に回避することが出来る、新規な構造の遊技機を提供することにある。
【００１２】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することが出来る発明思想に基づいて認識されるものであることが理解されるべきである。
【００１３】
本発明の第一の態様は、遊技盤における遊技球が通過する特定の通過部位を遊技球が通過したことを検出して得られた検出信号が主制御基板に入力されて、該主制御基板に設けられた当落判定手段により該検出信号に基づいて当落が判定される遊技機において、前記主制御基板上に発光素子および受光素子を設け、それら発光素子および受光素子と前記特定の通過部位との間に亘って発光側光ファイバおよび受光側光ファイバをそれぞれ配設すると共に、該特定の通過部位に反射部材を配設して、該発光側光ファイバの発光端面と該受光側光ファイバの受光端面を該反射部材を介して対向配置せしめることにより、該特定の通過部位において該発光側光ファイバの発光端面から該反射部材を経て該受光側光ファイバの受光端面に至る光路を形成し、該光路を遊技球が遮ることにより前記検出信号が得られるようにしたことを、特徴とする。
【００１４】
このような本態様に従う構造とされた遊技機においては、主制御基板上に発光素子および受光素子を設け、それらそれら発光素子および受光素子と特定の通過部位との間に亘って発光側光ファイバおよび受光側光ファイバをそれぞれ配設すると共に、特定の通過部位に反射部材を配設して、発光側光ファイバの発光端面と受光側光ファイバの受光端面を反射部材を介して対向配置せしめることにより、特定の通過部位において、発光側光ファイバの発光端面から反射部材を経て受光側光ファイバの受光端面に至る光路を形成し、かかる光路を遊技球が遮ることにより検出信号が得られるようになっていることから、特定の通過部位に設けられた近接スイッチ等の検出手段と主制御基板がハーネスで接続されている場合に比して、特定の通過部位から主制御基板までの間に擬似的な検出信号を生成する電気回路が取り付けられることを回避することが可能となる。
【００１５】
特に、本態様に係る遊技機においては、発光素子と受光素子が設けられた主制御基板には、当落判定手段も設けられていることから、例えば、特定の通過部位から主制御基板までの間において擬似的な検出信号を生成する電気回路が取り付けられて、かかる電気回路によって生成された擬似的な検出信号に基づいて当落判定手段が当落の判定を行うことを回避することが可能となる。また、外部ノイズによる悪影響を回避することも可能となる。
【００１６】
更にまた、本態様に係る遊技機においては、発光側光ファイバの発光端面と受光側光ファイバの受光端面が反射部材を介して対向配置せしめられて、特定の通過部位において発光側光ファイバの発光端面から反射部材を経て受光側光ファイバの受光端面に至る光路が形成されていることから、特定の通過部位と主制御基板の間に一本の光ファイバのみが配設されている場合に比して、複数個の遊技球が接触した状態で特定の通過部位を通過したとしても、それら複数個の遊技球を一つの遊技球として検出することなく、遊技球毎に検出することが可能となり、それによって、遊技球の通過を検出する精度を向上することが可能となる。
【００１７】
また、本態様に係る遊技機においては、発光側光ファイバの発光端面と受光側光ファイバの受光端面が、特定の通過部位に配設された反射部材を介して対向配置せしめられていることから、発光側光ファイバの発光端面と受光側光ファイバの受光端面を遊技球の通過部位を挟んで対向位置せしめる必要がなくなり、それによって、発光側光ファイバおよび受光側光ファイバにおけるクラックの発生を有利に回避することが可能となり、その結果、特定の通過部位において発光側光ファイバの発光端面から反射部材を経て受光側光ファイバの受光端面に至る光路を安定して形成することが可能となる。
【００１８】
なお、本態様における特定の通過部位は、遊技盤そのものに対して直接に形成されていても良いし、或いは、遊技盤に取り付けられる他の部材によって形成されていても良い。また、本態様における特定の通過部位の断面は、遊技球の通過を検出する精度を確保するために、遊技球が１個ずつしか通過できない程度の大きさとされていることが望ましい。
【００１９】
さらに、本態様における当落判定手段は、例えば、検出信号が入力された際に取得したループカウンタのカウンタ値が所定の数値と一致するか否かを判定する処理をＣＰＵがプログラムに従って実行すること等で実現することが出来る。また、本態様における「当落が判定される」とは、遊技者に有利な遊技状態を開始するための条件が満たされているか否かが判定されることをいい、例えば、検出信号が入力された際に取得したループカウンタのカウンタ値が所定の数値と一致するか否かが判定されることをいう。
【００２０】
また、本態様における発光素子とは、電気信号を光に変換するものであれば、特に限定されるものではなく、例えば、従来から公知の発光ダイオード等で有利に構成することが可能である。
【００２１】
さらに、本態様における受光素子は、光を電気信号に変換するものであれば、特に限定されるものではなく、例えば、従来から公知のフォトダイオードやフォトトランジスタ等で構成することが可能である。
【００２２】
また、本態様における反射部材は、例えば、アルミニウム箔や鏡等で有利に構成することが出来る。
【００２３】
本発明の第二の態様は、前記第一の態様に係る遊技機において、前記特定の通過部位において、前記発光側光ファイバの発光端面と前記受光側光ファイバの受光端面を前記遊技盤の表面から離隔する側に向けて略同一方向に配設すると共に、それら両端面に対して該遊技盤の表面から離隔した位置に前記反射部材を対向位置せしめ、かかる対向部間を前記遊技球が通過せしめられることにより前記光路が該遊技球で遮られるようにしたことを、特徴とする。このような本態様に従う構造とされた遊技機においては、特定の通過部位において発光側光ファイバの発光端面と受光側光ファイバの受光端面が遊技盤の表面から離隔する側に向けて略同一方向に配設されており、また、それら両端面に対して遊技盤の表面から離隔した位置に反射部材が対向位置せしめられていることから、特定の通過部位を構成する壁部における反射部材と発光側光ファイバの発光端面および受光側光ファイバの受光端面の対向方向に対して略直交する方向の寸法、即ち、遊技盤の表面に略平行な方向の寸法を必要最小限にすることが可能となり、それによって、特定の通過部位が設けられる位置等の設計自由度を向上することが可能となる。
【００２４】
また、例えば、特定の通過部位がトンネル又はゲート状の通過孔によって構成されている場合において、かかる通過孔を構成する壁部における遊技盤の表面に略平行な方向で対向位置せしめられる部分というのは、遊技球が衝突する場合が多いことから、そのような部分に発光側光ファイバの発光端面および受光側光ファイバの受光端面を位置せしめると、発光側光ファイバや受光側光ファイバに対して遊技球の衝突に起因する外力が及ぼされ、それによって、発光側光ファイバや受光側光ファイバにクラックが発生してしまうおそれがあるが、本態様に係る遊技機においては、そのような状況を回避することが可能となる。
【００２５】
なお、本態様における「遊技盤の表面から離隔する側」というのは、遊技をする遊技者側をいうものとする。
【００２６】
本発明の第三の態様は、前記第一又は第二の態様に係る遊技機において、前記発光側光ファイバの発光端面と前記受光側光ファイバの受光端面を、前記遊技球の通過方向に対して略直交する方向に並設することにより、該発光端面から前記反射部材に至る発光側光路と、該反射部材から該受光端面に至る受光側光路が前記特定の通過部位における中心線を挟んだ両側に形成されるようにしたことを、特徴とする。このような本態様に従う構造とされた遊技機においては、発光側光ファイバの発光端面と受光側光ファイバの受光端面が遊技球の通過方向に対して略直交する方向に並設されることにより、発光端面から反射部材に至る発光側光路と、反射部材から受光端面に至る受光側光路が特定の通過部位における中心線を挟んだ両側に形成されるようになっていることから、複数個の遊技球が接触した状態で特定の通過部位を通過する場合に、それら複数個の遊技球を遊技球毎に検出する精度を一層向上させることが可能となる。
【００２７】
本発明の第四の態様は、前記第一乃至第三の何れかの態様に係る遊技機において、前記特定の通過部位をトンネル又はゲート状の通過孔によって構成すると共に、該通過孔の内周面に開口する凹所を設けて、該凹所内に前記反射部材を収容配置せしめたことを、特徴とする。このような本態様に従う構造とされた遊技機においては、通過孔の内周面に開口するように設けられた凹所に反射部材が収容位置せしめられていることから、通過孔の内周面に反射部材が設けられたことに起因する通過孔の開口面積の減少を軽減することが可能となる。
【００２８】
そこにおいて、本態様に係る遊技機においては、凹所内に位置せしめられた反射部材の厚さ方向、即ち、凹所の深さ方向の寸法，凹所における開口部分の形状やその大きさ，凹所の深さ方向の寸法等を適当に調節することで遊技球の反射部材への接触を有利に回避することが可能となり、その結果、反射部材への遊技球の接触に起因する反射部材の汚れを回避して、遊技球の検出を長期間に亘って安定して維持することが可能となる。また、本態様に係る遊技機においては、遊技球が接触することにより反射部材が破損したり、或いは、反射部材が通過孔の内周面から剥がれ落ちてしまうことを回避することも可能となる。
【００２９】
【発明の実施形態】
以下、本発明を更に具体的に明らかにするために、本発明の実施形態について、図面を参照しつつ、詳細に説明する。
【００３０】
先ず、図１には、本発明の一実施形態としてのパチンコ機１０が示されている。このパチンコ機１０は、遊技球が始動入賞口装置１２に入賞することにより遊技盤１４に設けられた特別図柄表示装置１６にて複数（本実施形態では、３つ）の特別図柄１８ａ〜ｃが変動表示され、これら複数の特別図柄１８ａ〜ｃが予め定められた大当たり図柄組み合わせで停止表示される場合に遊技者に有利な大当たり遊技状態が開始されるようになっている。
【００３１】
より詳細には、パチンコ機１０の下端部に設けられたハンドル２０に対して、発射レバー２２が回動可能に装着されており、かかる発射レバー２２の回動操作に伴って回動する図示しない槌によって上皿２４に貯留された遊技球が弾かれるようになっている。そして、槌によって弾かれた遊技球は、遊技盤１４の上部に案内されて、図示しない多数の遊技釘に衝突しながら落下するようになっている。
【００３２】
このように遊技盤１４の上部から落下する遊技球が始動入賞口装置１２に入賞することにより、液晶表示器で構成された特別図柄表示装置１６において、複数の特別図柄１８ａ〜ｃの変動表示が開始されるようになっており、複数の特別図柄１８ａ〜ｃが大当たり図柄組み合わせ（例えば、「７７７」等のゾロ目）で停止すると、大入賞口装置２６の入口が所定回数開放される大当たり遊技状態が開始されるようになっている。
【００３３】
この始動入賞口装置１２は、図２乃至５に示されているように、取付部材２８に対してカバー部材３０が固定的に取り付けられた構造とされている。より詳細には、取付部材２８は、略一定の断面形状で軸方向に延びる周状壁部３２の軸方向一方の端部に対して軸直角方向外方に広がる取付板部３４が一体形成された構造とされている。
【００３４】
一方、カバー部材３０は、略一定の断面形状で軸方向に延びる周壁部３６の軸方向一方の端部に対して、かかる端部の開口を閉塞する閉塞板部３８が一体形成された構造とされている。また、周壁部３６には、その周方向の一部において、周壁部３６の軸方向全体に亘って切欠部４０が形成されている。なお、これら取付部材２８およびカバー部材３０は、何れも、ＡＢＳ等の硬質の合成樹脂材によって形成されている。そして、カバー部材３０における閉塞板部３８が設けられていない側、即ち、周壁部３６の開口側の端面が取付板部３４に重ね合わせられた状態で、カバー部材３０が取付部材２８に固定されている。
【００３５】
このようにカバー部材３０が取り付けられた取付部材２８は、取付板部３４に設けられたネジ穴４２に挿通されるネジ（図示せず）によって遊技盤１４に取り付けられるようになっており、それによって、始動入賞口装置１２が遊技盤１４に取り付けられるようになっている。そこにおいて、取付部材２８が遊技盤１４に取り付けられた状態下で、カバー部材３０の周壁部３６に形成された切欠部４０は、遊技盤１４の上方（図１における上方）に位置せしめられており、それによって、かかる切欠部４０から遊技球がカバー部材３０内に入り、取付部材２８における周状壁部３２内を通って遊技盤１４の裏側に排出されるようになっている。即ち、本実施形態では、カバー部材３０が取付部材２８に固定されることで、カバー部材３０の閉塞板部３８と周壁部３６，取付部材２８の取付板部３４における閉塞板部３８と対向位置せしめられている部分および取付部材２８における周状壁部３２によって特定の通過部位としての通過孔４４が形成されている。
【００３６】
また、周状壁部３２の内側には、二つの光ファイバ４６ａ，ｂが位置せしめられており、それら二つの光ファイバ４６ａ，ｂは、それぞれ、周状壁部３２の内周面に設けられた固定部４８ａ，ｂによって周状壁部３２に対して固定されている。その際、二つの光ファイバ４６ａ，ｂの端面は、それぞれ、カバー部材３０における閉塞板部３８に向かうように位置せしめられていると共に、通過孔４４における遊技盤１４の上方向に延びる部分の中心線４７を含む平面を挟むように位置せしめられている。
【００３７】
更にまた、これら二つの光ファイバ４６ａ，ｂの他方の端面、即ち、周状壁部３２内に位置せしめられていない側の端面は、それぞれ、図６に示されているように、パチンコ機１０の作動を全体的に制御するための主制御ＣＰＵ５０が設けられた主制御基板５２上に位置せしめられている。そこにおいて、本実施形態では、一方の光ファイバ４６ａの端面は、主制御基板５２上に設けられた発光素子としての発光ダイオード５４に向かうようにして固定的に位置せしめられている一方、他方の光ファイバ４６ｂの端面は、同じく主制御基板５２上に設けられたフォトダイオード５６に向かうようにして固定的に位置せしめられている。なお、発光ダイオード５４は、出力ポート５８を介して主制御ＣＰＵ５０に接続されていると共に、フォトダイオード５６は、入力ポート６０を介して主制御ＣＰＵ５０に接続されている。また、主制御ＣＰＵ５０には、制御プログラム等が格納されたＲＯＭ６２や制御処理データ等が格納されるＲＡＭ６４が接続されており、このＲＡＭ６４には、大当たり判定の用に供される大当たり判定カウンタや複数の特別図柄１８ａ〜ｃの変動表示の内容を規定する変動パターンの選択の用に供される変動パターン選択カウンタ，複数の特別図柄１８ａ〜ｃが停止表示される際の図柄組み合わせの選択の用に供される図柄選択カウンタ等が設けられている。なお、これらのカウンタは、それぞれ、所定周期で発生する割り込み信号毎に１ずつ加算されるループカウンタで構成されている。
【００３８】
さらに、閉塞板部３８には、略一定の矩形断面で周状壁部３２側に向かって開口する凹所６６が形成されており、かかる凹所６６内には、鏡等で形成された反射部材としての反射板６８が反射面側を二つの光ファイバ４６ａ，ｂの端面に向けた状態で収容位置せしめられている。そこにおいて、本実施形態では、反射板６８の厚さ方向の寸法は、少なくとも凹所６６の深さ方向の寸法よりも小さくされており、また、凹所６６の幅方向（図５中の上下方向）の寸法は、少なくとも遊技球の半径よりも小さくされており、それによって、遊技球の反射板６８への接触が回避されるようになっている。
【００３９】
また、始動入賞口装置１２は、その入口付近、即ち、カバー部材３０の周壁部３６に形成された切欠部４０付近において、一対の羽根部材７０，７０が設けられており、かかる一対の羽根部材７０，７０は、取付板部３４の裏側において始動入賞口装置１２に固定的に設けられたソレノイド７２への給電又はその停止により、入口の大きさを拡大する方向又は入口の大きさを通常の大きさとする方向へ駆動変位せしめられるようになっている。
【００４０】
そして、主制御ＣＰＵ５０からのドライブ信号に基づいて発光せしめられた発光ダイオード５４の光は、一方の光ファイバ４６ａを通じて通過孔４４内に入射されるようになっており、また、かかる通過孔４４内に入射された光は、反射板６８で反射されて他方の光ファイバ４６ｂを通じてフォトダイオード５６で受光されるようになっている。それによって、通過孔４４内には、一方の光ファイバ４６ａの端面から反射板６８を経て他方の光ファイバ４６ｂの端面に至る光路が形成されている。また、通過孔４４内に入射された光を受光したフォトダイオード５６は、受光した光を電気信号に変換して出力するようになっており、かかる電気信号が入力ポート６０を介して主制御ＣＰＵ５０に入力されるようになっている。そこにおいて、本実施形態では、遊技球が通過孔４４を通過する際に、通過孔４４内に入射された光や反射板６８によって反射された光が遊技球によって遮られるようになっており、このように遊技球が通過孔４４内に入射された光や反射板６８によって反射された光を遮ったことをフォトダイオード５６が検出して出力する電気信号によって、遊技球が通過孔４４を通過したこと、即ち、遊技球が始動入賞口装置１２に入賞したことを示す検出信号が構成されることとなる。また、本実施形態では、二つの光ファイバ４６ａ，ｂが中心線４７を含む平面を挟んで位置せしめられていることから、光ファイバ４６ａの端面から反射板６８に至るまでの発光側光路と、反射板６８から光ファイバ４６ｂの端面に至るまでの受光側光路が中心線４７を挟んだ両側に形成されるようになっており、その結果、通過孔４４を通過する遊技球４９を、通過方向に延びる遊技球の中心線上で検出しないようになっている。
【００４１】
このようなパチンコ機１０の遊技処理について、図７に基づいて、説明する。先ず、主制御ＣＰＵ５０は、ステップ（以下、Ｓとする）１において、始動入賞口装置１２に遊技球が入賞したか否かをフォトダイオード５６からの電気信号に基づいて判定する。始動入賞口装置１２に遊技球が入賞していない場合（Ｓ１：ＮＯ）には、主制御ＣＰＵ５０は、遊技処理を終了する。始動入賞口装置１２に遊技球が入賞した場合（Ｓ１：ＹＥＳ）には、主制御ＣＰＵ５０は、Ｓ２において、遊技球が始動入賞口装置１２に入賞した際の大当たり判定カウンタのカウンタ値等を取得するカウンタ値取得処理を実行した後、Ｓ３において、Ｓ２で取得したカウンタ値をＲＡＭ６４に設けられたカウンタ値記憶エリアに記憶するカウンタ値記憶処理を実行する。
【００４２】
そして、主制御ＣＰＵ５０は、Ｓ４において、カウンタ値記憶エリアに記憶された大当たり判定カウンタのカウンタ値が予め定められた大当たり数値と一致するか否かを判定する大当たり判定処理を実行する。大当たり数値と一致しない場合（Ｓ４：ＮＯ）には、主制御ＣＰＵ５０は、Ｓ５において、特別図柄表示装置１６での表示制御を行う表示制御回路（図示せず）に対して複数の特別図柄１８ａ〜ｃの変動表示および複数の特別図柄１８ａ〜ｃのハズレ図柄組み合わせでの停止表示を行わせるハズレ表示処理を実行した後、遊技処理を終了する。大当たり数値と一致する場合（Ｓ４：ＹＥＳ）には、主制御ＣＰＵ５０は、Ｓ６において、表示制御回路に対して複数の特別図柄１８ａ〜ｃの変動表示および複数の特別図柄１８ａ〜ｃの大当たり図柄組み合わせでの停止表示を行わせる大当たり表示処理を実行した後、Ｓ７において、大入賞口装置２６の入口を所定回数だけ開放せしめる大当たり遊技処理を実行し、遊技処理を終了する。
【００４３】
上述の説明から明らかなように、本実施形態では、主制御ＣＰＵ５０がＳ４の制御処理を実行することで当落判定手段が構成されている。また、本実施形態では、一方の光ファイバ４６ａによって発光側光ファイバが構成されている一方、他方の光ファイバ４６ｂによって受光側光ファイバが構成されている。
【００４４】
このような本実施形態に従う構造とされたパチンコ機１０においては、主制御ＣＰＵ５０が設けられた主制御基板５２上に発光ダイオード５４およびフォトダイオード５６が設けられていると共に、発光ダイオード５４と通過孔４４の間に亘って一方の光ファイバ４６ａが配設されており、また、フォトダイオード５６と通過孔４４の間に亘って他方の光ファイバ４６ｂが配設されていることから、通過孔４４と主制御基板５２の間において擬似的な検出信号を生成する電気回路を取り付け、かかる電気回路から出力される擬似的な検出信号に基づいて大当たり判定が行われないようにすることが可能となる。
【００４５】
また、本実施形態においては、一方の光ファイバ４６ａの端面から反射板６８へ至る発光側光路と反射板６８から他方の光ファイバ４６ｂへ至る受光側光路が中心線４７を挟んで形成されるようになっていることから、通過孔４４を通過する遊技球４９を、通過方向に延びる中心線上で検出することがなく、それによって、たとえ複数個の遊技球が接触した状態で通過孔４４を通過したとしても、それら複数個の遊技球を遊技球毎に検出することが可能となり、その結果、遊技球の検出精度を向上することが可能となる。
【００４６】
以上、本発明の一実施形態について詳述してきたが、これはあくまでも例示であって、本発明は、かかる実施形態における具体的な記載によって、何等、限定的に解釈されるものではない。
【００４７】
例えば、前記実施形態では、反射板６８は、閉塞板部３８に形成された凹所６６内に収容位置せしめられていたが、図８に示すように、閉塞板部３８に凹所を形成せず、閉塞板部３８に対して直接に反射板６８を接着等で固定すると共に、閉塞板部３８における反射板６８が固定された位置よりも上方において、庇形状の保護部７４を一体形成するようにしても良く、それによって、遊技球の反射板６８への接触を有利に回避することが可能となる。
【００４８】
また、通過孔４４の形状等は、前記実施形態のものに限定されることはない。更に、凹所６６の形状や大きさ，深さ方向の寸法、反射板６８の形状や大きさ，厚さ方向の寸法，材料等は、前記実施形態のものに限定されることはない。
【００４９】
加えて、前記実施形態では、始動入賞口装置１２に入賞した遊技球を検出する場合において、本発明を適用したものの一具体例が示されていたが、本発明は、例えば、大入賞口装置２６に入賞した遊技球を検出する場合においても、勿論、適用可能である。
【００５０】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【００５１】
【発明の効果】
上述の説明から明らかなように、本発明に従う構造とされた遊技機においては、主制御基板に設けられた発光素子および受光素子と特定の通過部位との間に亘って発光側光ファイバおよび受光側光ファイバをそれぞれ配設すると共に、かかる特定の通過部位に反射部材が設けられていることから、遊技球の通過部位と主制御基板の間において擬似的な検出信号を生成する電気回路を取り付けて、かかる電気回路が生成した検出信号に基づいて当落判定手段が当落を判定することを回避することが可能となり、また、遊技球の検出精度を向上することが可能となる。
【図面の簡単な説明】
【図１】本発明の一実施形態としてのパチンコ機の正面図である。
【図２】図１に示されたパチンコ機に採用されている始動入賞口装置の正面図である。
【図３】図２に示された始動入賞口装置の平面図である。
【図４】図２に示された始動入賞口装置の右側面図である。
【図５】図３におけるＩＩＩ−ＩＩＩ断面図である。
【図６】図２に示された始動入賞口装置と主制御基板との接続状態を説明するためのモデル図である。
【図７】図１に示されたパチンコ機の遊技処理を示すフローチャートである。
【図８】反射板への遊技球の接触を回避するための他の態様を示す断面図である。
【符号の説明】
１０  パチンコ機
４４  通過孔
４６  光ファイバ
５０  主制御ＣＰＵ
５２  主制御基板
５４  発光ダイオード
５６  フォトダイオード
６８  反射板
【図１】
2004351036.tif 000003
【図２】
2004351036.tif 000004
【図３】
2004351036.tif 000005
【図４】
2004351036.tif 000006
【図５】
2004351036.tif 000007
【図６】
2004351036.tif 000008
【図７】
2004351036.tif 000009
【図８】
2004351036.tif 000010